(57)【要約】【課題】チャージシェアを効率よく行うことで駆動回路における消費電力を大幅に削減できる表示装置を実現する。【解決手段】本発明の表示装置は、ゲート信号線１１１とソース信号線１２１との交点に画素電極１４０が画素ＴＦＴ１３０を介して形成された表示部１００と、ソース信号線１２１に対して、映像信号に応じた信号電圧を供給するソース駆動回路２００と、ゲート信号線１１１に対して、１水平走査期間に上記画素ＴＥＴ１３０をオンさせるハイレベルの信号電圧を供給するゲート駆動回路３００とを備える。上記ゲート駆動回路３００は、１水平走査期間にハイレベルの信号電圧をゲート信号線１１１に供給する際、該ゲート信号線１１１の次に走査対象となるゲート信号線１１１に対して、上記１水平走査期間の第１期間にハイレベルの信号電圧を供給する。【選択図】図１
2008046275.tif 000002
【特許請求の範囲】
【請求項１】
複数行のゲート信号線と複数列のソース信号線とがマトリックス状に配線され、ゲート信号線とソース信号線との交点に画素電極がスイッチング素子を介して形成された表示部と、
上記複数列のソース信号線に対して、映像信号に応じた信号電圧を供給するソース駆動回路と、
上記複数行のゲート信号線に対して、１水平走査期間に上記スイッチング素子をオンさせるハイレベルの信号電圧を供給するゲート駆動回路とを備え、
上記１水平走査期間の、始まりから所定の期間を上記ソース駆動回路と上記各ソース信号線とを絶縁状態とする第１期間とし、残りの期間を上記ソース駆動回路から上記各ソース信号線に信号電圧を供給する第２期間としたとき、
上記ゲート駆動回路は、
任意のゲート信号線に対し、ハイレベルの信号電圧を、１水平走査期間に供給するとき、該ゲート信号線の次以降に走査対象となるゲート信号線のうち少なくとも一本のゲート信号線に対して、上記１水平走査期間の第１期間にハイレベルの信号電圧を供給することを特徴とする表示装置。
【請求項２】
上記ゲート駆動回路は、
任意のゲート信号線に対し、ハイレベルの信号電圧を、１水平走査期間に供給するとき、該ゲート信号線に隣接する次走査対象のゲート信号線に対して、上記１水平走査期間の第１期間にハイレベルの信号電圧を供給することを特徴とする請求項１に記載の表示装置。
【請求項３】
上記ゲート駆動回路は、
複数行のゲート信号線に対応して、１水平走査期間毎にハイレベルとなるゲート信号を生成するゲート信号生成回路と、
上記ゲート信号生成回路にて生成された現走査対象のゲート信号線に対応するゲート信号を、該ゲート信号線の前走査対象であったゲート信号線に対応するゲート信号から、上記１水平走査期間の第１期間にハイレベルとなる信号電圧に変換する信号変換回路とを備えていることを特徴とする請求項２に記載の表示装置。
【請求項４】
上記ソース駆動回路は、
上記複数列のソース信号線に対して、基準電圧を中心として極性がｎ水平走査期間毎(ｎは自然数）に反転する信号電圧を供給することを特徴とする請求項１〜３の何れか１項に記載の表示装置。
【請求項５】
複数行のゲート信号線と複数列のソース信号線とがマトリックス状に配線され、ゲート信号線とソース信号線との交点に画素電極がスイッチング素子を介して形成された表示部を備えた表示装置の駆動装置であって、
上記複数列のソース信号線に対して、映像信号に応じた信号電圧を供給するソース駆動回路と、
上記複数行のゲート信号線に対して、１水平走査期間に上記スイッチング素子をオンさせるハイレベルの信号電圧を供給するゲート駆動回路とを備え、
上記１水平走査期間の、始まりから所定の期間を上記ソース駆動回路と上記各ソース信号線とを絶縁状態とする第１期間とし、残りの期間を上記ソース駆動回路から上記各ソース信号線に信号電圧を供給する第２期間としたとき、
上記ゲート駆動回路は、
任意のゲート信号線に対し、ハイレベルの信号電圧を、１水平走査期間に供給するとき、該ゲート信号線の次以降に走査対象となるゲート信号線のうち少なくとも一本のゲート信号線に対して、上記１水平走査期間の第１期間にハイレベルの信号電圧を供給することを特徴とする表示装置の駆動装置。
【請求項６】
テレビジョン放送を受信するチューナ部と、該チューナ部で受信したテレビジョン放送を表示する請求項１〜４の何れか１項に記載の表示装置とを備えたテレビジョン受信機。
【請求項７】
請求項６に記載のテレビジョン受信機と、
該テレビジョン受信機の表示装置を駆動する駆動装置とを有するテレビジョン受信システムであって、
上記駆動装置は、請求項５に記載の表示装置の駆動装置であることを特徴とするテレビジョン受信システム。
【発明の詳細な説明】
【技術分野】
【０００１】
本発明は、表示装置に関し、特に、表示装置を駆動する駆動回路における消費電力を低減させるためにチャージシェアを行う表示装置に関するものである。
【背景技術】
【０００２】
近年の液晶表示装置においては、液晶モジュールの大型化に伴う負荷の増大、及び高解像度化に伴う動作周波数の増大により、液晶モジュールの温度上昇が大きくなる傾向にある。
【０００３】
これは、液晶モジュールが大型化すれば、パネルの負荷が大きくなり、該パネルを駆動するための電力が増大化し、その結果、ソース駆動回路の発熱量が大きくなるからである。
【０００４】
また、ソース信号線に供給する信号電圧の変化が、ゲート信号線毎に行われる。このため、液晶パネルの高解像度化に伴ってライン周波数が高くなれば、ソース信号線に供給する信号電圧の切替を早くする必要がある。つまり、ライン周波数が高くなる分だけ消費電力が増加し、ソース駆動回路の発熱量を増加させる。
【０００５】
これらの問題を解決するために、例えば、特許文献１，２には、隣接するソース信号線同士を短絡させることでチャージシェアをし、ソース駆動回路における消費電力を低減する技術が開示されている。
【特許文献１】特開平９-２１２１３７号公報（１９９７年８月１５日公開）
【特許文献２】特開２０００-３９８７０号公報（２０００年２月８日公開）
【発明の開示】
【発明が解決しようとする課題】
【０００６】
しかしながら、従来の技術では、隣接するソース信号線間でチャージシェアするようになっているので、ソース信号線間での電荷の移動は、必ずソースドライバを経由して行われる。このため、電荷の移動距離が長くなるので、チャージシェアが完了するまでの時間が長くなり、その結果、効率よくチャージシェアを行うことができないという問題が生じる。
【０００７】
このように、効率よくチャージシェアを行うことができなければ、チャージシェアが不完全なまま極性反転した電圧が画素電極に印加されるので、該画素電極の電荷充電に必要な電力の消費を十分に抑えることができないという問題が生じる。
【０００８】
本発明は、上記の問題点に鑑みてなされたものであり、その目的は、チャージシェアを効率よく行うことで駆動回路における消費電力を大幅に削減できる表示装置を実現することにある。
【課題を解決するための手段】
【０００９】
本発明に係る表示装置は、上記課題を解決するために、複数行のゲート信号線と複数列のソース信号線とがマトリックス状に配線され、ゲート信号線とソース信号線との交点に画素電極がスイッチング素子を介して形成された表示部と、上記複数列のソース信号線に対して、映像信号に応じた信号電圧を供給するソース駆動回路と、上記複数行のゲート信号線に対して、１水平走査期間に上記スイッチング素子をオンさせるハイレベルの信号電圧を供給するゲート駆動回路とを備え、上記１水平走査期間の、始まりから所定の期間を上記ソース駆動回路と上記各ソース信号線とを絶縁状態とする第１期間とし、残りの期間を上記ソース駆動回路から上記各ソース信号線に信号電圧を供給する第２期間としたとき、上記ゲート駆動回路は、任意のゲート信号線に対し、ハイレベルの信号電圧を、１水平走査期間に供給するとき、該ゲート信号線の次以降に走査対象となるゲート信号線のうち少なくとも一本のゲート信号線に対して、上記１水平走査期間の第１期間にハイレベルの信号電圧を供給することを特徴としている。
【００１０】
上記の構成によれば、任意のゲート信号線に対し、ハイレベルの信号電圧を、１水平走査期間に供給するとき、該ゲート信号線の次以降に走査対象となるゲート信号線に対して、上記１水平走査期間の第１期間、すなわちソース駆動回路と各ソース信号線とが絶縁状態である期間にハイレベルの信号電圧を供給することで、走査対象のゲート信号線と次以降の走査対象となるゲート信号線のうち少なくとも１本のゲート信号線に設けられたスイッチング素子を同時にオンすることができる。
【００１１】
これにより、上記第１期間において、少なくとも２本のゲート信号線に設けられたスイッチング素子に接続されている画素電極間で電荷の移動が行われることになるので、これら画素電極の電位をほぼ同じにすることが可能となる。
【００１２】
従って、画素電極の電位が変化した分、該画素電極への書き込み用の電圧、すなわちソース信号線に供給する信号電圧を低くできるので、ソース駆動回路における電力消費を低減できる。
【００１３】
しかも、上記第１期間においてオン状態にあるスイッチング素子が接続されているゲート信号線同士は、該スイッチング素子に接続されているソース信号線によって短絡状態にあるので、それぞれのスイッチング素子に接続されている画素電極同士では、ゲート信号線及びソース信号線を介して電荷移動が行われることになる。
【００１４】
これにより、電荷移動の距離が、従来のようにドライバ（ソース駆動回路など）を介して電荷移動が行われる場合に比べて短くなるので、電荷移動経路における抵抗値が小さくなり、その結果、画素電極における電荷移動による電位変化を効率よく行わせることができる。つまり、チャージシェアを効率よく行うことができる。
【００１５】
従って、各画素電極においてチャージシェアが完了するまでの時間が短くできるので、チャージシェアによる電荷移動が十分な状態で画素電極に極性反転した電圧を印加することが可能となるので、画素電極の電荷充電に必要な電力が少なくて済む。つまり、ソース駆動回路における電力消費の削減を十分に行うことができる。
【００１６】
上記ゲート駆動回路は、任意のゲート信号線に対し、ハイレベルの信号電圧を、１水平走査期間に供給するとき、該ゲート信号線に隣接する次走査対象のゲート信号線に対して、上記１水平走査期間の第１期間にハイレベルの信号電圧を供給してもよい。
【００１７】
この場合、隣接するゲート信号線の間で電荷移動が行われることになるので、一方の画素電極から他方の画素電極までの電荷の移動距離を最短にすることができる。これにより、さらに、抵抗が小さくなり、その結果、画素電極における電位変化を効率よく行うことができる。
【００１８】
上記ゲート駆動回路は、複数行のゲート信号線に対応して、１水平走査期間毎にハイレベルとなるゲート信号を生成するゲート信号生成回路と、上記ゲート信号生成回路にて生成された現走査対象のゲート信号線に対応するゲート信号を、該ゲート信号線の前走査対象であったゲート信号線に対応するゲート信号から、上記１水平走査期間の第１期間にハイレベルとなる信号電圧に変換する信号変換回路とを備えていてもよい。
【００１９】
この場合、複数行のゲート信号線に対応して生成された、１水平走査期間毎にハイレベルとなるゲート信号は、チャージシェアを行わない場合のゲート信号であるので、ゲート信号生成回路を既存のゲート信号生成回路を使用することができる。
【００２０】
そして、チャージシェアを行うための信号電圧を生成する回路、すなわち信号変換回路では、既存のゲート信号生成回路にて生成された現走査対象のゲート信号線に対応するゲート信号を、該ゲート信号線の前走査対象であったゲート信号線に対応するゲート信号から、上記１水平走査期間の第１期間にハイレベルとなる信号電圧に変換するようになっているので、安価に、且つ、効率よくチャージシェアを行うことが可能となる。
【００２１】
上記ソース駆動回路は、上記複数列のソース信号線に対して、基準電圧を中心として極性がｎ水平走査期間毎(ｎは自然数）に反転する信号電圧を供給するようにしてもよい。
【００２２】
上記の構成によれば、複数列のソース信号線に対して、基準電圧を中心として極性がｎ水平走査期間毎に反転する信号電圧が供給されるので、隣接するゲート信号線にスイッチ素子を介して接続された画素電極同士は逆極性となるので、効率よくチャージシェアを行うことができる。この場合、ゲート信号線にハイレベルの信号を印加するのをｎ−１ラインおきにすれば、複数列のソース信号線に対して、基準電圧を中心として極性がｎ水平走査期間毎に反転する信号電圧を供給することができる。
【００２３】
つまり、表示部の行毎に画素電極の極性が反転しているような場合には、上記第１期間に、行方向に隣接する画素電極同士で電荷が相殺されるので、さらに、チャージシェアを効率よく行うことができる。
【００２４】
従って、本発明は、ドット反転駆動やライン反転駆動の何れにも適用できる。
【００２５】
本発明の表示装置の駆動装置は、上記の課題を解決するために、複数行のゲート信号線と複数列のソース信号線とがマトリックス状に配線され、ゲート信号線とソース信号線との交点に画素電極がスイッチング素子を介して形成された表示部を備えた表示装置の駆動装置であって、上記複数列のソース信号線に対して、映像信号に応じた信号電圧を供給するソース駆動回路と、上記複数行のゲート信号線に対して、１水平走査期間に上記スイッチング素子をオンさせるハイレベルの信号電圧を供給するゲート駆動回路とを備え、上記１水平走査期間の、始まりから所定の期間を上記ソース駆動回路と上記各ソース信号線とを絶縁状態とする第１期間とし、残りの期間を上記ソース駆動回路から上記各ソース信号線に信号電圧を供給する第２期間としたとき、上記ゲート駆動回路は、任意のゲート信号線に対し、ハイレベルの信号電圧を、１水平走査期間に供給するとき、該ゲート信号線の次以降に走査対象となるゲート信号線のうち少なくとも一本のゲート信号線に対して、上記１水平走査期間の第１期間にハイレベルの信号電圧を供給することを特徴としている。
【００２６】
これにより、チャージシェアが効率よく行え、且つ、消費電力の少ない駆動装置を提供することができる。
【００２７】
本発明のテレビジョン受信機は、テレビジョン放送を受信するチューナ部と、該チューナ部で受信したテレビジョン放送を表示する表示装置とを備えたテレビジョン受信機において、上記表示装置に、上述した表示装置を用いたことを特徴としている。
【００２８】
この場合、大画面化及び高解像度化に伴う消費電力を極力抑えたテレビジョン受信機を提供できる。
【００２９】
なお、上記のテレビジョン受信機は、表示装置の駆動装置を別途設けてもよい。
【発明の効果】
【００３０】
本発明に係る表示装置は、以上のように、１水平走査期間の、始まりから所定の期間を上記ソース駆動回路と上記各ソース信号線とを絶縁状態とする第１期間とし、残りの期間を上記ソース駆動回路から上記各ソース信号線に信号電圧を供給する第２期間としたとき、上記ゲート駆動回路は、任意のゲート信号線に対し、ハイレベルの信号電圧を、１水平走査期間に供給するとき、該ゲート信号線の次以降に走査対象となるゲート信号線のうち少なくとも一本のゲート信号線に対して、上記１水平走査期間の第１期間にハイレベルの信号電圧を供給することで、電荷移動の距離が、従来のようにドライバを介して電荷移動が行われる場合に比べて短くなるので、電荷移動経路における抵抗値が小さくなり、その結果、画素電極における電荷移動による電位変化を効率よく行わせることができる。従って、各画素電極においてチャージシェアが完了するまでの時間が短くできるので、チャージシェアによる電荷移動が十分な状態で画素電極に極性反転した電圧を印加することが可能となるので、電荷充電に必要な電力が少なくて済む。つまり、ソース駆動回路における電力消費の削減を十分に行うことができるという効果を奏する。
【発明を実施するための最良の形態】
【００３１】
本発明の一実施の形態について説明すれば、以下の通りである。なお、本実施の形態では、表示装置として、アクティブマトリクス型液晶表示装置について説明する。
【００３２】
本発明に係る表示装置は、複数行のゲート信号線と複数列のソース信号線とがマトリックス状に配線され、ゲート信号線とソース信号線との交点に画素電極がスイッチング素子を介して形成された表示部と、上記複数列のソース信号線に対して、映像信号に応じた信号電圧を供給するソース駆動回路と、上記複数行のゲート信号線に対して、１水平走査期間に上記スイッチング素子をオンさせるハイレベルの信号電圧を供給するゲート駆動回路とを備え、上記１水平走査期間の、始まりから所定の期間を上記ソース駆動回路と上記各ソース信号線とを絶縁状態とする第１期間とし、残りの期間を上記ソース駆動回路から上記各ソース信号線に対して信号電圧を供給する第２期間としたとき、上記ゲート駆動回路は、任意のゲート信号線に対し、ハイレベルの信号電圧を、１水平走査期間に供給するとき、該ゲート信号線の次以降に走査対象となるゲート信号線のうち少なくとも一本のゲート信号線に対して、上記１水平走査期間の第１期間にハイレベルの信号電圧を供給することを特徴としている。
【００３３】
すなわち、本実施の形態に係るアクティブマトリクス型液晶表示装置は、図１に示すように、表示部１００と、該表示部１００を駆動するソース駆動回路２００及びゲート駆動回路３００と、これら駆動回路を駆動制御する制御回路４００とを有している。
【００３４】
すなわち、上記構成のアクティブマトリクス型液晶表示装置は、複数行のゲート信号線１１１と複数列のソース信号線１２１とがマトリックス状に配線され、ゲート信号線１１１とソース信号線１２１との交点に画素電極１４０がスイッチング素子である画素ＴＦＴ１３０を介して形成された表示部１００と、上記複数列のソース信号線１２１に対して、映像信号ＤＡＴＡに応じた信号電圧を供給するソース駆動回路２００と、上記複数行のゲート信号線１１１に対して、１水平走査期間に上記画素ＴＦＴ１３０をオンさせるハイレベルの信号電圧を供給するゲート駆動回路３００とを備えている。
【００３５】
すなわち、上記表示部１００は、複数のソース信号線１２１からなるソース信号線群１２０と、複数のゲート信号線１１１からなるゲート信号線群１１０とがマトリックス状に配線され、各信号線の交差部に複数の画素ＴＦＴ１３０が設けられた構成である。
【００３６】
上記画素ＴＦＴ１３０は、ソース信号線群１２０とゲート信号線群１１０との各交差部分に配置され、ゲート端子１３１がゲート信号線１１１に、ソース端子１３２がソース信号線１２１に、ドレイン端子１３３が画素電極１４０に、それぞれ接続されている。この画素ＴＦＴ１３０は、ゲート信号線１１１の電位によって、ドレイン端子１３３に接続された画素電極１４０をソース信号線１２１と電気的に接続するためのスイッチング素子として機能する。
【００３７】
上記表示部１００に所望の映像を表示させるための映像信号ＤＡＴＡは、上記制御回路４００からソース駆動回路２００に供給される。
【００３８】
上記ソース駆動回路２００は、制御回路４００から供給される映像信号ＤＡＴＡをソース信号Ｓ１，Ｓ２，．．．（ソース信号線数分）として、表示部１００の各ソース信号線１２１に供給するようになっている。ここで、上記ソース駆動回路２００は、各ソース信号をソース信号線１２１に対して、制御回路４００から供給されるソースクロック信号ＳＣＫの立ち上がり又は立下りに同期させて供給するようになっている。
【００３９】
尚、上記各ソース信号の画素電極１４０への書き込みは、上記ゲート駆動回路３００から供給されるゲート信号によって制御される。
【００４０】
上記ゲート駆動回路３００は、ゲート信号生成回路３１０と、信号変換回路３２０とを有している。
【００４１】
上記ゲート信号生成回路３１０は、上記制御回路４００から供給されるゲートクロック信号ＧＳＫに基づいて、ゲート信号Ｇ１，Ｇ２，．．．（ゲート信号線数分）を後段の信号変換回路３２０に供給するようになっている。ここで、上記ゲート信号生成回路３１０は、図３（ａ）に示すように、ソース駆動回路２００から出力されるソース信号Ｓ−ＯＵＴに対応して、各ゲート信号をゲートクロック信号ＧＳＫの立下りに同期して信号変換回路３２０に供給するようになっている。但し、実際には、図３（ｂ）に示すように、上記ソース信号Ｓ−ＯＵＴには、後述するチャージシェアを行う間、ソース駆動回路２００とソース信号線１２１との間が絶縁状態、すなわちオープン状態であること示す期間（図の網掛けの部分：第１期間）が含まれる。
【００４２】
上記信号変換回路３２０は、上記ゲート信号生成回路３１０から供給されたゲート信号Ｇ１，Ｇ２，．．．を、チャージシェアを行うための波形（ゲート信号Ｇ１’，Ｇ２’．．．．）に変換して、表示部１００の各ゲート信号線１１１に供給するようになっている。ここで、信号変換回路３２０は、図３（ｂ）に示すように、ソース駆動回路２００から出力されるソース信号Ｓ−ＯＵＴのオープン区間（図の網掛け部分）に対応して、隣接するゲート信号線において、同時にハイレベルとなる期間、すなわちチャージシェア区間を設けたゲート信号をゲート信号線１１１に供給するようになっている。
【００４３】
つまり、上記ゲート信号生成回路３１０では、ゲートクロック信号ＧＣＫの１周期（１水平走査期間）の、始まりから所定の期間を上記ソース駆動回路２００と上記各ソース信号線１２１とを絶縁状態とする第１期間（図３（ｂ）に示す網掛け部分）とし、残りの期間を上記各ソース信号線１２１に対して信号電圧を供給する第２期間としたとき、例えば１水平走査期間にハイレベルの信号電圧をゲート信号線に供給する際、該ゲート信号線の次以降に走査対象となるゲート信号線に対して、上記１水平走査期間の第１期間にハイレベルの信号電圧を供給するようになっている。
【００４４】
上記信号変換回路３２０は、例えば図２に示すような論理回路で実現できる。すなわち、信号変換回路３２０は、ＯＲゲート３２１、ＡＮＤゲート３２２、Ｄｅｌａｙ回路３２３を有している。この信号変換回路３２０では、ｎライン目のゲート信号線１１１に出力するゲート信号Ｇ（ｎ）’を、ゲート信号生成回路３１０から供給されるｎ−１ライン目のゲート信号線１１１に対応するゲート信号Ｇ（ｎ−１）と、ｎライン目のゲート信号線１１１に対応するゲート信号Ｇ（ｎ）とから生成するようになっている。ここで、上記Ｄｅｌａｙ回路３２３におけるＤｅｌａｙ時間、すなわち遅延時間がチャージシェアのパルス幅（チャージシェア区間（図３（ｂ）））となる。
【００４５】
従って、上記構成の論理回路においては、Ｄｅｌａｙ回路３２３における遅延時間を調整することで、チャージシェア区間を自在に調整することが可能となる。
【００４６】
ここで、チャージシェアについて以下に説明する。
【００４７】
本説明では、表示部１００がドット反転駆動を行う場合について説明する。ドット反転駆動では、表示部１００における行毎の極性は、図４に示すように、隣接する画素電極同士で逆の極性となっている。
【００４８】
例えば、ｎ−１ライン目のゲート信号線と、該ゲート信号線に隣接するｎライン目のゲート信号線とに、図３（ｂ）に示すような波形の信号電圧が供給されれば、チャージシェア区間（第１期間）で各ゲート信号線に接続されているスイッチング素子がオン状態となる。このチャージシェアの区間では、図３（ｂ）に示すように、上記ソース駆動回路２００と上記各ソース信号線１２１とを絶縁状態となっているので、オン状態のスイッチング素子に接続された画素電極同士で電荷がソース信号線１２１を通じて移動する。このとき、図４に示すように、隣接する画素電極の極性は逆になっているので、各画素電極における電荷が相殺されそれぞれの画素電極の電位の絶対値がほぼ同じになる。
【００４９】
これにより、次の走査時には、画素電極を充電するための信号電圧が低くて済むので、ソース駆動回路２００における消費電力を大幅に削減できる。
【００５０】
しかも、ゲート信号線同士でチャージシェアを行うようになっているので、電荷移動の経路がゲート信号線１１１、ソース信号線１２１、ゲート信号線１１１となり、ゲート駆動回路３００あるいはソース駆動回路２００を経由しないで済む。これにより、電荷移動の経路における抵抗値を小さくできるので、電荷移動が迅速に行われる。つまり、チャージシェアが効率よく行われる。
【００５１】
これにより、チャージシェアが十分に行われ、電位が十分に変化したのちに、逆極性の信号電圧が供給されるようになるので、低い電圧で画素電極に書き込みを行うことができる。
【００５２】
さらに、一般に、図５に示すように、チャージシェア時間が長ければ、発熱量が小さくなる傾向にある。ここでチャージシェア時間とは、チャージシェアを行う実行時間である。この実行時間を増加させるには、同時にオープンさせるライン数、すなわちチャージシェアの対象となるゲート信号線の本数を増加させればよい。
【００５３】
上記ゲート駆動回路３００は、複数行のゲート信号線１１１に対応して、１水平走査期間毎にハイレベルとなるゲート信号を生成するゲート信号生成回路３１０と、上記ゲート信号生成回路３１０にて生成された現走査対象のゲート信号線１１１に対応するゲート信号Ｇ（ｎ）を、該ゲート信号線１１１の前走査対象であったゲート信号線１１１に対応するゲート信号Ｇ（ｎ−１）から、上記１水平走査期間の第１期間にハイレベルとなる信号電圧Ｇ（ｎ）’に変換する信号変換回路３２０とを備えている。
【００５４】
この場合、複数行のゲート信号線に対応して、生成した１水平走査期間毎にハイレベルとなるゲート信号は、チャージシェアを行わない場合のゲート信号であるので、ゲート信号生成回路を既存のゲート信号生成回路を使用することができる。
【００５５】
そして、チャージシェアを行うための信号電圧を生成する回路、すなわち信号変換回路では、既存のゲート信号生成回路にて生成された現走査対象のゲート信号線に対応するゲート信号を、該ゲート信号線の前走査対象であったゲート信号線に対応するゲート信号から、上記１水平走査期間の第１期間にハイレベルとなる信号電圧に変換するようになっているので、安価に、且つ、効率よくチャージシェアを行うことが可能となる。
【００５６】
上記ソース駆動回路は、上記複数列のソース信号線に対して、基準電圧を中心として極性がｎ水平走査期間毎(ｎは自然数）に反転する信号電圧を供給するようにしてもよい。
【００５７】
上記の構成によれば、複数列のソース信号線に対して、基準電圧を中心として極性がｎ水平走査期間毎に反転する信号電圧が供給されるので、隣接するゲート信号線にスイッチ素子を介して接続された画素電極同士は逆極性となるので、効率よくチャージシェアを行うことができる。この場合、ゲート信号線にハイレベルの信号を印加するのをｎ−１ラインおきにすれば、複数列のソース信号線に対して、基準電圧を中心として極性がｎ水平走査期間毎に反転する信号電圧を供給することができる。
【００５８】
つまり、表示部の行毎に画素電極の極性が反転しているような場合には、上記第１期間に、行方向に隣接する画素電極同士で電荷が相殺されるので、さらに、チャージシェアを効率よく行うことができる。
【００５９】
従って、本発明は、図４に示すようなドット反転駆動の他に、ライン反転駆動にも適用できる。
【００６０】
また、上記構成の表示装置は、テレビジョン受信機の表示部に使用することができる。
【００６１】
本発明の表示装置を適用したテレビジョン受信機について、図６〜図８を参照しながら以下に説明する。
【００６２】
図６は、テレビジョン受信機用の液晶表示装置６０１の回路ブロックを示す。
【００６３】
液晶表示装置６０１は、図６に示すように、Ｙ/Ｃ分離回路５００、ビデオクロマ回
路５０１、Ａ/Ｄコンバータ５０２、液晶コントローラ５０３、液晶パネル５０４、バッ
クライト駆動回路５０５、バックライト５０６、マイコン５０７、階調回路５０８を備えた構成となっている。
【００６４】
上記構成の液晶表示装置６０１には、上述の実施の形態で説明したアクティブマトリクス型液晶表示装置が用いられる。
【００６５】
上記構成の液晶表示装置６０１において、まず、テレビ信号の入力映像信号は、Ｙ／Ｃ分離回路５００に入力され、輝度信号と色信号に分離される。輝度信号と色信号はビデオクロマ回路５０１にて光の３原色である、Ｒ、Ｇ、Ｂ に変換され、さらに、このアナログＲＧＢ信号はＡ／Ｄコンバータ５０２により、デジタルＲＧＢ信号に変換され、液晶コントローラ５０３に入力される。
【００６６】
液晶パネル５０４では液晶コントローラ５０３からのＲＧＢ信号が所定のタイミングで入力されると共に、階調回路５０８からのＲＧＢそれぞれの階調電圧が供給され、画像が表示されることになる。これらの処理を含め、システム全体の制御はマイコン５０７が行うことになる。
【００６７】
なお、映像信号として、テレビジョン放送に基づく映像信号、カメラにより撮像された映像信号、インターネット回線を介して供給される映像信号、ＤＶＤに記録された映像信号など、様々な映像信号に基づいて表示可能である。
【００６８】
さらに、図７に示すチューナ部６００ではテレビジョン放送を受信して映像信号を出力し、液晶表示装置６０１ではチューナ部６００から出力された映像信号に基づいて画像（映像）表示を行う。
【００６９】
また、上記構成の液晶表示装置をテレビジョン受信機とするとき、例えば、図８に示すように、液晶表示装置６０１を第１筐体１３０１と第２筐体１３０６とで包み込むようにして挟持した構成となっている。
【００７０】
第１筐体１３０１は、液晶表示装置６０１で表示される映像を透過させる開口部１３０１ａが形成されている。
【００７１】
また、第２筐体１３０６は、液晶表示装置６０１の背面側を覆うものであり、該液晶表示装置６０１を操作するための操作用回路１３０５が設けられるとともに、下方に支持用部材１３０８が取り付けられている。
【００７２】
以上のように、上記液晶表示装置６０１に本願発明の表示装置を用いることで、大画面化、高解像度化に伴う消費電力の増加を極力抑えたテレビジョン受信機を提供することができる。
【００７３】
なお、上記のテレビジョン受信機は、表示装置の駆動装置を別途設けてもよい。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７５】
本発明の表示装置は、チャージシェアを効率よく行うことができるので、消費電力の増加が問題となる大画面、高解像度の表示装置に好適である。
【図面の簡単な説明】
【００７６】
【図１】本発明の実施形態を示すものであり、液晶表示装置の要部構成を示すブロック図である。
【図２】図１に示す液晶表示装置に設けられた信号変換回路の論理回路図である。
【図３】（ａ）は図１に示す液晶表示装置に設けられたゲート信号生成回路で生成されるゲート信号の波形図であり、（ｂ）は図１に示す液晶表示装置に設けられた信号変換回路で生成されるゲート信号の波形図である。
【図４】表示部の画素電極の極性を示す図である。
【図５】チャージシェア時間と発熱量との関係を示すグラフである。
【図６】本発明の液晶表示装置を備えたテレビジョン受信機の概略ブロック図である。
【図７】図６に示すテレビジョン受信機におけるチューナ部と液晶表示装置との関係を示すブロック図である。
【図８】図７に示すテレビジョン受信機の分解斜視図である。
【符号の説明】
【００７７】
１００  表示部
１１０  ゲート信号線群
１１１  ゲート信号線
１２０  ソース信号線群
１２１  ソース信号線
１３０１  第１筐体
１３０１ａ  開口部
１３０５  操作用回路
１３０６  第２筐体
１３０８  支持用部材
１３１  ゲート端子
１３２  ソース端子
１３３  ドレイン端子
１４０  画素電極
２００  ソース駆動回路
３００  ゲート駆動回路
３１０  ゲート信号生成回路
３２０  信号変換回路
３２１  ＯＲゲート
３２２  ＡＮＤゲート
３２３  Ｄｅｌａｙ回路
４００  制御回路
５００  Ｙ／Ｃ分離回路
５０１  ビデオクロマ回路
５０２  Ａ／Ｄコンバータ
５０３  液晶コントローラ
５０４  液晶パネル
５０５  クライト駆動回路
５０６  バックライト
５０７  マイコン
５０８  階調回路
６００  チューナ部
６０１  液晶表示装置
【図１】
2008046275.tif 000003
【図２】
2008046275.tif 000004
【図３】
2008046275.tif 000005
【図４】
2008046275.tif 000006
【図５】
2008046275.tif 000007
【図６】
2008046275.tif 000008
【図７】
2008046275.tif 000009
【図８】
2008046275.tif 000010